(57)【要約】【課題】  吐出口部とノズル基体とからなる吐出ノズルにおいて、ノズル基体の先端に下方向に開口させた吐出口部をヒンジで結合し、吐出ノズルと押圧ヘッドを一体成形できるようにしたノズルヘッドを具えた液吐出器を提供すること。【解決手段】  容器の口筒部に取着されたポンプと、該ポンプのステム上端に取着されたノズルヘッドとを具備した液吐出器であって、ノズルヘッドは、下方に開口する吐出口部とノズル基体とからなる吐出ノズルと、押圧ヘッド部とを具備しており、吐出口部は、ノズル基体の先端面上端にヒンジを介して連設されていることを特徴とする。【選択図】  図１
2005296925.tif 000002
【特許請求の範囲】
【請求項１】
容器の口筒部に取着されたポンプと、該ポンプのステム上端に取着されたノズルヘッドとを具備した液吐出器であって、
ノズルヘッドは、下方に開口する吐出口部とノズル基体とからなる吐出ノズルと、押圧ヘッド部とを具備しており、
吐出口部は、ノズル基体の先端面上端にヒンジを介して連設されていることを特徴とする液吐出器。
【請求項２】
ヒンジに近接して吐出口部の上面とノズル基体の上面に相互に係合し合う係止部を設け、吐出口部を、ヒンジを中心に廻動させ、それぞれの係止部を係合させることによって、ノズル基体先端の流出口から吐出するようにしたことを特徴とする請求項１記載の液吐出器。
【請求項３】
組成成分中に含まれる固形成分が、１０質量％以上配合されていることを特徴とする液状化粧料を請求項１、２記載の液吐出器に充填した化粧料吐出器。
【発明の詳細な説明】
【技術分野】
【０００１】
本発明は、液吐出器、とくにノズルヘッドが、下方に開口する吐出口部とノズル基体とからなる吐出ノズルを具え、液吐出方向を変更可能とした液吐出器に関するものである。
【背景技術】
【０００２】
容器に内容液を収納し、該容器の口筒部にポンプを取着し、ポンプのステムに嵌着したノズルヘッドの操作により内容液を吸い上げ、噴射ノズルから吐出させる液吐出容器において、ノズルヘッドとして、押圧ヘッドと噴射ノズルとを別部材として、噴射ノズルを押圧ヘッドに嵌着させ、噴射ノズルの吐出方向をノズルの軸線にほぼ直角下方向にするとともに、さらに噴射ノズルを押圧ヘッドに旋回可能とし、液吐出方向を変更可能とするようにした液吐出器は、従来から知られている（特許文献１参照）。
【特許文献１】特開２００２−２０５７５８号公報
【発明の開示】
【発明が解決しようとする課題】
【０００３】
しかしながら、上記特許文献１記載の液吐出器は、ノズルヘッドの押圧ヘッドと噴射ノズルを別部材として旋回可能に嵌着しているため、部材を別個に成形していた。
さらに、噴射ノズルを、噴出口部とノズル基部を別体として成形し、両者を嵌着することによって噴射ノズルを形成していた。
そのため、ノズルヘッドを製作するためには、噴出口部とノズル基部、および押出ヘッドの三つの部品の成形工程とともに、噴射ノズルを組み立てることと、噴射ノズルを押圧ヘッドに嵌合させるという二つの組立工程が必要であり、製造コストが高価なものになっていた。
【０００４】
本発明は、上記の問題を解決するため、吐出口部とノズル基体とからなる吐出ノズルにおいて、ノズル基体の先端に下方向に開口させた吐出口部をヒンジで結合し、吐出ノズルと押圧ヘッドを一体成形するとともに、吐出口部を、ヒンジを中心に廻動させることによって、注出口部の掃除が容易にできるようにしたノズルヘッドを具えた液吐出器を提供することを目的とする。
【課題を解決するための手段】
【０００５】
本発明は、上記の課題を解決するため、液噴出器として、容器の口筒部に取着されたポンプと、該ポンプのステム上端に取着されたノズルヘッドとを具備した液吐出器であって、ノズルヘッドは、下方に開口する吐出口部とノズル基体とからなる吐出ノズルと、押圧ヘッド部とを具備しており、吐出口部は、ノズル基体の先端面上端にヒンジを介して連設されていることを特徴とする構成を採用する。
【０００６】
吐出方向を変更可能とするため、ヒンジに近接して吐出口部の上面とノズル基体の上面に相互に係合し合う係止部を設け、吐出口部を、ヒンジを中心に廻動させ、それぞれの係止部を係合させることによって、ノズル基体先端の流出口から吐出するようにしたことを特徴とする構成を採用する。
【０００７】
内容液として、組成成分中に含まれる固形成分が、１０質量％以上配合されている液体化粧料でも使用することができる。
【発明の効果】
【０００８】
本発明の液吐出器のノズルヘッドは、下方向に開口する吐出口部とノズル基体とをヒンジを介して廻動自在に連設したことにより、吐出口部とノズル基体からなる吐出ノズルと押圧ヘッドを一体に成形でき、製造工程が従来のものより少なくてすみ、製造コストを安価に抑えることができる。
【０００９】
吐出口部を廻動して、ノズル基体先端の開口から内容液を吐出することができる。
また、吐出終了後に、吐出口部を廻動して、吐出口部、およびノズル基体の流路内に残って付着している内容液を取り除いて、吐出ノズルの掃除をすることができる。
そのことにより、固化しやすい内容液でも使用できるようになった。
【発明を実施するための最良の形態】
【００１０】
次に、本発明の液吐出器について、図面を参照して説明する。
図１において、Ａは、ポンプを容器口筒部に取着する取付キャップ、Ｂは、ポンプＢ１と、該ポンプＢ１に取着したノズルヘッドＢ２からなる液吐出器である。
容器には、内容物として、シャンプー、リンス、ヘアジェル、その他の液体毛髪用化粧料、ボディソープ、ハンドソープ、その他の液体皮膚洗浄剤、およびクリーム、乳液等の液体化粧料、或いは洗剤、洗濯仕上げ剤等の家庭品用溶液が収納される。
【００１１】
図１、２に示すように、取付キャップＡは、頂壁１と側周壁２とからなり、頂壁１にはポンプＢ１が嵌挿される取付口部３が穿設されている。
側周壁２の内周面には、ねじ４が設けられており、容器口筒部に取付キャップＡを螺着することにより、パッキンを介してポンプＢ１が容器口筒部上端に取付けられる。
【００１２】
ポンプＢ１は、シリンダー５とピストン６、ピストン芯軸７、およびステム８を具備している。
シリンダー５の下端部は、吸込み用のボール弁９を配設した弁座となっており、その下方には、吸込みパイプ１０が垂設されている。
【００１３】
ピストン６は、連結部１１を介して連設された内筒１２と外筒１３とからなり、内筒１２にピストン芯軸７が嵌挿されている。
ピストン芯軸７の下方は拡径筒１４となっており、拡径筒１４の中間には流通孔１５が穿設され、下端にはフランジ１６が設けられ、シリンダー５の下端底壁に載置されている。
フランジ１６とピストン６の連結部１１の間には、圧縮ばね１７が弾装されている。
【００１４】
シリンダー５の上端近くにはフランジが設けられ、その上方は取付キャップＡの頂壁１の取付口部３に嵌挿され、ステム８がシリンダー５内に嵌挿された後に、上端に嵌合部材１８が嵌着され、ポンプＢ１は取付キャップＡに係止される。
【００１５】
嵌合部材１８は、頂壁１９と、シリンダー５上端と嵌着する外周壁２０と、ノズルヘッドＢ２の下部と螺合するねじを設けた内周壁２１が設けられている。
【００１６】
ステム８は、シリンダー５の上部開口より嵌挿され、ステム８の下端部は、ピストン６の連結部１１に載置され、内周は内筒１２外周に係合されるようになっている。
ステム８の上端部は、内周に吐出用のボール弁９を配設した弁座となっており、外周にノズルヘッドＢ２が嵌着されている。
【００１７】
図１、２に示すように、ノズルヘッドＢ２は、ポンプＢ１のステム８を押し下げる押圧ヘッド部２２と、該押圧ヘッド部２２に連設された吐出ノズル２３とからなっており、吐出ノズル２３は、ノズル基体２４と、該ノズル基体２４にヒンジ２５を介して連設された吐出口部２６とを具備している。
【００１８】
押圧ヘッド部２２は、頂壁２７と外周壁２８とからなり、該頂壁２７下面にはボール弁規制ピン２９と内周壁３０が垂設されている。
内周壁３０下部の内壁は、ポンプＢ１のステム８に嵌着され、外壁には、嵌合部材１８の内周壁２１のねじに螺合するねじが設けられている。
【００１９】
図１、２に示すように、ノズル基体２４は、押圧ヘッド部２２に連設され、ノズル基体２４内の流路２４ａは、内周壁３０の内周まで連通し、出口側は横方向に開口した流出口３１となっている。
ノズル基体２４の流出口３１側端部外周には、上部にヒンジ２５、両側部に係止部３２が設けられている。
【００２０】
吐出口部２６は、ヒンジ２５を介してノズル基体２４に連設されており、流出口３１から流出する内容液の流出方向を変える流導壁３３と下方向に開口した吐出口３４と、ノズル基体２４に設けられた係止部３２に嵌合する係止部３５とを具備している。
【００２１】
次に、本発明液吐出器の使用態様と作用効果について説明する。
ノズルヘッドの成形にあたっては、図３に示すように、ノズル基体２４から吐出口部２６をヒンジ２５を介して上方にほぼ９０°廻動し、持ち上げた状態の形状で成形金型を形成し、流出口３１側から、流路成形用ピンを備えるスライドコアを用いれば、従来のような射出成形法によってノズルヘッドが一体成形される。  
【００２２】
液吐出器の使用にあたって、まず、押圧ヘッド部２２の内周壁３０と嵌合部材１８の内周壁２１の螺合を外すと、図４に示すように、ポンプＢ１の圧縮ばね１７の復元力によってピストン６とステム８、ノズルヘッドＢ２が上昇し、吸込みパイプ１０から内容液がシリンダー５内に吸上げられる。
【００２３】
内容液の吐出にあたっては、ノズルヘッドＢ２の押下げ操作により、吐出ノズル２３の下方向に開口した吐出口３４より内容液を吐出する。
【００２４】
使用後に、内容液が付着して吐出口３４が目詰まりとなっているときには、吐出口部２６を上方に廻動させると、吐出口部２６の内側とノズル基体２４の流路口３１が露出され、露出された部分、およびノズル基体２４内の流路２４ａに付着した内容物を取り除き、掃除をすることができる。
したがって、内容物として、固化して目詰まりを起こしやすい内容物であっても利用できる。
【００２５】
次に、吐出ノズルと吐出口部の変形実施例について説明する。
本実施例は、図５に示すように、吐出口部２６に係止突起４０または係止片を配設し、ノズル基体２４上部に前記係止突起４０を係止する係止凹部４１または係止溝を配設したものであり、その他は前記実施例と同じである。
【００２６】
吐出口部２６に係止突起４０を設け、ノズル基体２４上部に係止凹部４１を配設したことにより、ノズル基体２４の係止部３２と吐出口部２６の係止部３５との嵌合を外し、吐出口部２６をヒンジ２５を介して上方に持ち上げ廻動させたときに、吐出口部２６の係止突起４０を係止凹部４１に係合させることができる。
このことにより、吐出口部２６が確実に係止され、ノズル基体２４の流出口３１を吐出口として利用することができる。
【００２７】
上記実施例では、吐出口部２６に係止突起４０を設け、ノズル基体２４上部に係止凹部４１を設けたが、反対に吐出口部２６に係止凹部４１または係止溝を配設し、ノズル基体２４の上部に係止突起４０または係止片を配設してもよい。
この場合も、上記実施例と同一の作用効果を得ることができる。
【００２８】
前記各実施例では、吐出口部２６の流導壁３３により吐出口３４が下方向に開口するように形成しているが、流導壁３３を傾斜させて、吐出口３４の開口を傾斜させ、内容液を斜め下方向に吐出するようにしてもよく、また、吐出口部２６の係止部３５とノズル基体２４の係止部３２との位置、形状を変更することによって吐出口３４の方向を変えるようにしてもよい。
さらにまた、ヒンジの位置を変えることによって、吐出方向を横方向にした吐出ノズルを成形することもできる。
【００２９】
次に、本発明の液体吐出装置に使用する内容液について説明する。
前記各実施例の液体吐出装置には、内容液として、シャンプー、リンス、ヘアジェル、その他の液体毛髪用化粧料、ボディソープ、ハンドソープ、その他の液体皮膚洗浄剤、およびクリーム、乳液等の液体化粧料、或いは洗剤、洗濯仕上げ剤等の家庭品用溶液が使用される。
【００３０】
内容液の成分として、室温において、液状を呈する成分は、ノズル中における固化の原因とはならない。
しかし、室温において、本質的に固体、粘調液、ペースト状を呈する成分は、全て固化し、目詰まりの原因となる。
例えば、界面活性剤、高分子、有機系或いは無機系不溶性粉体，高級アルコール、無機および有機塩類、有機系或いは無機系のパール化剤および白濁化剤等がこれらの成分にあたる。
【００３１】
また、各々の成分は、室温では液状であるが、製品中などで互いに化学反応、イオン的或いは疎水結合的に相互作用を起こした結果、固体、粘調液、ペースト状を呈する場合も固化の原因となる。
組成より水を除いた量を固形成分と呼ぶとき、固形成分が全組成の１０％を超えると、ノズル内等では固化が発生し易く、とくに細いノズル内等では固化が発生しやすくなる。
【００３２】
また、高分子は固化の発生を促進し、とくに固形成分が全組成の１０％を超え、かつ高分子が配合されている組成の場合に顕著である。
【００３３】
本発明の液吐出器では、内容液として、固形成分が全組成の１０％を越え、かつ、高分子が配合されている場合でも、内容液吐出後に、吐出口部２６を上方に廻動させて、吐出口部２６の内側とノズル基体２４の流路２４ａ内等に付着した内容液を取り除いてきれいにしておくことができるので、ノズル内での目詰まりの発生を防止することができる。
【００３４】
また、ノズル基体２４の流路２４ａ内に内容液が残って固化し、目詰まりを起こしても、液吐出器の使用前に吐出口部２６を上方に開いて簡単に掃除できるので、固化しやすい内容液でも支障なく使用することができる。  
【００３５】
次に、液体化粧料の例として、よく用いられる整髪料、液体石鹸等について、実施例をあげ、その成分を表記する。
整髪料として、表１〜表３に示すヘアジェル（表１）、ヘアワックス（表２）、ヘアクリーム（表３）が用いられる。
【００３６】
【表１】
2005296925.tif 000003
【００３７】
【表２】
2005296925.tif 000004
【００３８】
【表３】
2005296925.tif 000005
【００３９】
次に、各種液体石鹸として、薬用ハンドソープとして、二つの実施例をあげ、その成分を表４に示す。
【表４】
2005296925.tif 000006
【００４０】
次に、ボディソープとして、二つの実施例をあげ、その成分を表５に示す。  
【表５】
2005296925.tif 000007
【００４１】
次に、シャンプーについて、１１の実施例をあげて、その成分を、実施例１〜５を表６−１、実施例６〜１１を表６−２に示す。
【表６−１ａ】
2005296925.tif 000008
【表６−１ｂ】
2005296925.tif 000009
【００４２】
【表６−２ａ】
2005296925.tif 000010
【表６−２ｂ】
2005296925.tif 000011
【００４３】
ただし、上記各表の成分中の香料は、普通に用いられている一般的な香料組成物である。
なお、上記本発明の液吐出器に使用する内容液は、上記化粧料と液体石鹸に限定されない。
【産業上の利用可能性】
【００４４】
吐出ノズルが、ノズル基体と、ノズル基体にヒンジによって連設された吐出口部から形成されているので、両者を一体成形することができ、ノズル基体の軸線と異なる方向に吐出できる吐出ノズルの成形に適用できる。
また、本発明の液吐出器は、シャンプー、リンス、ヘアジェル、その他の液体毛髪用化粧料、ボディソープ、ハンドソープ、その他の液体皮膚洗浄剤、およびクリーム、乳液等の液体化粧料、或いは洗剤、洗濯仕上げ剤等の家庭品用溶液の吐出装置として広く利用できる。
【図面の簡単な説明】
【００４５】
【図１】本発明のポンプとノズルヘッドの縦断面図である。
【図２】図１のＡ−Ａ線における横断面図である。
【図３】ノズルヘッドの成形時の縦断面図である。
【図４】ノズルヘッド上昇時の縦断面図である。
【図５】別実施例吐出ノズル上昇時の縦断面図である。
【符号の説明】
【００４６】
Ａ      取付キャップ
Ｂ      液吐出器
Ｂ１    ポンプ
Ｂ２    ノズルヘッド
５      シリンダー
６      ピストン
７      ピストン芯軸
８      ステム
２２    押圧ヘッド部
２３    吐出ノズル
２４    ノズル基体
２５    ヒンジ
２６    吐出口部
２７    頂壁
２８    外周壁
２９    ボール弁規制ピン
３０    内周壁
３１    流出口
３２    係止部
３３    流導壁
３４    吐出口
３５    係止部
４０    係止突起
４１    係止凹部
【図１】
2005296925.tif 000012
【図２】
2005296925.tif 000013
【図３】
2005296925.tif 000014
【図４】
2005296925.tif 000015
【図５】
2005296925.tif 000016